(57)【要約】      （修正有）【課題】髪の毛の損傷を最小化にして迅速に欲しいヘアスタイルに演出できるヘアアイロンを提供する。【解決手段】一側が切開した切開面１１０を形成して駆動部を具備できる一定な内部空間が形成されて切開面１１０を通じて駆動部と連結されたヒーティングバーが外部に露出するように具備されたヘッド部１００と；ヘッド部の一側面に固定結合されたハンドル部２００と；ハンドル部２００の一側で回動可能で、その端部が前記ヘッド部の切開面１１０と一定間隔離脱される場合に髪の毛を挿入できるスロット３１０を形成する上部カバー３００を；含めて構成し、上向きに開口形成されたスロット３１０に挿入された髪の毛は、駆動部によって迅速に巻かれてヘアスタイルが演出できると共に、別途の陰イオン放出部と水分供給部を作動させて髪の毛の損傷を最小化できる。【選択図】図１
2015093196.tif 000002
【特許請求の範囲】
【請求項１】
一側が切開された切開面（１１０）を形成して駆動部（１２０）を具備することができる一定な内部空間（１３０）が形成されて前記切開面（１００）を通じて前記駆動部（１２０）と連結された円筒形状のヒーティンバー（１４０）が外部に露出されるように具備されたヘッド部（１００）と；
前記ヘッド部（１００）の一側面に固定結合されて一定の長さを有するように延長形成されたハンドル（２００）と；
前記ヘッド部（１００）と選択的に接続及び離脱可能になるように前記ハンドル（２００）の一側に回動可能できるように具備し、その端部が前記ヘッド部（１００）の前記切開面（１１０）と一定な間隔離脱された場合に髪の毛を挿入できるスロット（３１０）を形成する上部カバー（３００）を；
含むことを特徴にするヘアアイロン。
【請求項２】
請求項１において、
前記切開面（１１０）の端部は、上向きに斜めに形成（Ｂ面）されて前記ヘッド部（１００）と接続される前記上部カバー（３００）の版面も前記切開面（１１０）と対応するように斜めに形成（Ｄ面）されて前記スロット（３１０）の入口は上向開口することを特徴とするヘアアイロン。
【請求項３】
請求項２において、
斜めに形成された前記切開面（１１０）の一側面（Ｂ面）と対向する他側面（Ａ面）も斜めに形成され、前記切開面（１１０）側面の全体的な形状は上側に行くほど幅が漸進的に拡張するように形成されていることを特徴とするヘアアイロン。
【請求項４】
請求項２において、
上向きに斜めに形成された前記切開面（１１０）端部の外側には、前記スロット（３１０）に髪の毛を楽に挿入できるように外側に突出形成された突部（１１１）が具備されていることを特徴とするヘアアイロン。
【請求項５】
請求項４において、
前記突部（１１１）の両側には、髪の毛を前記スロット（３１０）に挿入時に髪の毛がその表面でスライディングされてスロット（３１０）に案内されるように斜めに形成された案内面（１１２，Ｃ面）が具備されていることを特徴とするヘアアイロン。
【請求項６】
請求項２において、
前記切開面（１１０）と接続される前記上部カバー（３００）の外面の一側には、前記スロット（３１０）に挿入された髪の毛が前記スロット（３１０）から離脱されないように離脱防止突起（３４０）が突出形成されていることを特徴とするヘアアイロン。
【請求項７】
請求項１において、
前記ヒーティングバー（１４０）の外面は、セラミックコーティング処理されていることを特徴とするヘアアイロン。
【請求項８】
請求項１において、
前記ヘッド部（１００）の一側には、前記ヘッド部（１００）の上面に具備された上部カバー（３００）が上記ヘッド部（１００）から完全に離脱することを防止できるように前記ヘッド部（１００）と前記上部カバー（３００）を連結するロックピン（１５０）が設けられていることを特徴とするヘアアイロン。
【請求項９】
請求項１において、
前記駆動部（１２０）は、駆動モーター（１２１）の端部に具備された前記駆動モーター（１２１）の駆動によって回転駆動するウォーム（１２２）と、前記ウォーム（１２２）と噛み合って回転駆動して一側に前記ヒーティングバー（１４０）が固定結合するウォームギア（１２３）を含むことを特徴とするヘアアイロン。
【請求項１０】
請求項１において、
前記上部カバー（３００）の一側には前記ヘアアイロンを使用時には、前記髪の毛に水分を供給できる別途の水分供給部（３３０）が具備されていることを特徴とするヘアアイロン。
【請求項１１】
請求項１０において、
前記水分供給部（３３０）からは、超音波加湿による霧形態で前記髪の毛に水分が供給できるように構成されていることを特徴とするヘアアイロン。
【請求項１２】
請求項１０において、
前記水分供給部（３００）は、前記髪の毛に供給される水分の温度を高めてスチーム形態で前記水分を供給することを特徴とするヘアアイロン。
【請求項１３】
請求項１において、
前記ヘッド部（１００）の一側には、前記ヘアアイロンを使用時に前記髪の毛で陰イオンを放出できる別途の陰イオン放出部（１６０）が具備されていることを特徴とするヘアアイロン。
【請求項１４】
請求項１３において、
前記陰イオン放出部（１６０）は、前記ヒーティングバー（１４０）の下側に具備されて前記ヒーティングバー（１４０）を通じて前記髪の毛と前記陰イオンが接続されていることを特徴とするヘアアイロン。
【請求項１５】
請求項１乃至第１４項中のいずれかの一つの請求項において、
前記ヘアアイロンを使用時に前記髪の毛が絡み合うことで前記スロットに挟む場合にこれを感知して前記ヒーティングバー（１４０）の回転駆動を停止させることを特徴とするヘアアイロン。
【請求項１６】
請求項１５において、
前記ヘッド部（１００）と前記バンドル部及び前記上部カバーの外面は、前記ヒーティングバーから発生される熱が伝達されないようにシリコン処理されていることを特徴とするヘアアイロン。
【請求項１７】
請求項１５において、
前記バンドル部（２００）の一側には、前記ヘアアイロン側に供給される電源を制御する電源制御ボタン（２１０）と、前記ヘアアイロンの駆動を制御する複数の操作ボタン（２２０）が具備されていることを特徴とするヘアアイロン。
【請求項１８】
請求項１７において、
前記電源制御ボタン（２１０）及び前記操作ボタン（２２０）によって制御される前記ヘアアイロンの動作状態を表示できるように、前記ハンドル部（２００）の一側にはＬＣＤ表示窓（２３０）が具備されていることを特徴とするヘアアイロン。
【請求項１９】
請求項１５において、
前記ＬＣＤ表示窓（２３０）には、前記駆動部（１２０）の駆動速度（２３１）と、駆動方向（２３２）及び前記ヒーティングバー（１４０）の温度（２３３）の対する情報が表示されることを特徴とするヘアアイロン。
【請求項２０】
請求項１９において、
前記駆動部（１２０）の駆動速度（２３１）及びヒーティングバー（１４０）の温度（２３３）が設定値に到達する場合には、別途の信号音が発生することを特徴とするヘアアイロン。
【発明の詳細な説明】
【技術分野】
【０００１】
本発明はヘアアイロンに関するもので、もっと詳しくには髪の毛の損傷を最小化して欲しい形に便利にヘアスタイルが演出できるヘアアイロンに関するものである。
【発明の背景になる技術】
【０００２】
ヘアアイロンは、ウエーブした髪の毛を伸ばしたり、ストレートにした髪の毛をウエーブにしたりなどのヘアスタイルを演出するための美容道具の一つとして広く使用されている。
【０００３】
しかし、従来のヘアアイロンは、髪の毛をウエーブスタイルに演出するためのウエーブ用のアイロンと、髪の毛を伸ばすためのストレート用のアイロンに分かれているので、多様なヘアスタイルを演出するためには使用者が用度によるアイロンを全部具備しなくてはならない非経済的な問題点がある。
【０００４】
また、前記と同じ従来のヘアアイロンは、ニッパー形で製作されて前に加熱部を構成していることで、加熱部の髪の毛と接する面が主に平面に構成していることで使用者が強い力を加えて引っ張って髪の毛を伸ばすので無理な力を加えるので髪の毛が抜けたりなどの不便な問題があった。
【０００５】
同時に、髪の毛にウエーブを形成する時には、使用者が直接ヘアアイロンで髪の毛を取って回して巻くなどの同じ髪の毛に何回も作業をすることにより、熱による髪の毛の損傷を与え、長時間の作業で使用者の手首に疲労が早く来るなどのいろいろな問題点があった。
【発明の概要】
【解決しようとする課題】
【０００６】
前記と同じ点を勘案して案出した本発明の目的は、髪の毛を挿入及び離脱させるスロットが上向きに開口形成されるように便利にヘアスタイルが演出できることと共に、駆動部の減速比率を早くして別途の陰イオン放出部と水分供給部を作動させて髪の毛の損傷を最小化にして迅速に欲しいヘアスタイルに演出できるヘアアイロンを提供することである。
【課題の解決手段】
【０００７】
前記と同じ本発明の目的を達成するためのヘアアイロンは、一側に切開される切開面を形成して駆動部を具備できる一定な内部空間が形成されて前記切開面を通じて前記駆動分と連結した円筒形状のヒーティングバーが外部に露出するように具備したヘッド部と；前記ヘッド部の一側面に固定結合して一定な長さを有するように延長形成したハンドル部と；前記切開面と選択的に接続及び離脱可能できる前記ハンドル部の一側に回転可能に具備してその端部が前記ヘッド部の前記切開面と一定な間隔離脱した場合に髪の毛を挿入できるスロットを形成する上部カバーを；含めることを特徴とする。
【０００８】
ここで、前記切開面は上向きに斜めに形成して前記ヘッド部と接続される前記上部カバーの反面も前記切開面と対応するように斜めに形成して前記スロットの入り口は上向きに斜めに開口形成している。
【０００９】
そして、斜めに形成した前記切開面の一側面と対向する他側面も斜めに形成して前記切開面の側面の全体的な形状は上側にいくほど幅が漸進的に拡張になるように形成している。
【００１０】
また、上向きに斜めに形成した前記切開面の端部両側には前記スロットに髪の毛を挿入時に髪の毛を支持できるように前記ヘッド部と同じ幅を有するように形成した案内面が具備できる。
【００１１】
同時に、前記切開面と接続する前記上部カバーの外面一側には、前記スロットに挿入した髪の毛が前記スロットから離脱できないように離脱防止突起が突出形成されている。
【００１２】
そして、前記ヒーティングバーの外面はセラミックコーティング処理している。
【００１３】
また、前記ヘッド部の一側には、前記ヘッド部の上面の具備された上部カバーが前記ヘッド部から完全に離脱されることを防止できるように前記ヘッド部と前記上部カバーを連結するロックピンが設けられている。
【００１４】
同時に、前記駆動部は、駆動モーターの端部に具備した前記駆動モーターの駆動によって回転駆動するウォームと、前記ウォームと噛み合って回転駆動して一側に前記ヒーティングバーが固定結合するウォームを備えている。
【００１５】
そして、前記上部カバーの一側には、前記ヘアアイロンを使用時に前記髪の毛に水分を供給できる別途の水分供給部が具備されている。
【００１６】
また、前記水分供給部からは、超音波加湿によって霧形態で前記髪の毛に水分が供給できる。
【００１７】
同時に、前記水分供給部は、前記髪の毛に供給する水分の温度を高めてスチーム形態にして前記水分を供給できる。
【００１８】
そして、前記ヘッド部の一側には、前記ヘアアイロンを使用時に前記髪の毛に陰イオンを放出できる別途の陰イオン放出部が具備されている。
【００１９】
また、前記陰イオン放出部は、前記ヒーティングバーの下側に具備して前記ヒーティングバーを通じて前記髪の毛と前記陰イオンに接続している。
【００２０】
同時に、前記ヘアアイロンを使用時に前記髪の毛が絡み合って前記スロットに挟まれる場合、これを感知して前記ヒーティングバーの回転駆動を停止させることができる。
【００２１】
そして、前記ヘッド部と前記ハンドル部及び前記上部カバーの外面は、前記ヒーティングバーから発生する熱が伝達できないようにシリコン処理されている。
【００２２】
また、前記ハンドル部の一側には、前記ヘアアイロン側に供給する電源を制御する電源制御ボタンと、前記ヘアアイロンの駆動を制御する複数の操作ボタンが具備されている。
【００２３】
同時に、前記電源制御ボタン及び前記操作ボタンによって制御される前記ヘアアイロンの動作状態が表示できるように前記ハンドル部の一側にはＬＣＤ表示窓が具備されている。
【００２４】
そして、前記ＬＣＤ表示窓には、前記駆動部の駆動速度と、駆動方向及び前記ヒーティングバーの温度について情報が表示できる。
【００２５】
また、前記駆動部の駆動速度及び前記ヒーティングバーの温度が設定値に到達する場合には別途の信号音が発生するように構成されている。
【発明の効果】
【００２６】
以上から見たように本発明によるヘアアイロンは、髪の毛を挿入及び離脱させるスロットが上向きに開口形成されるようにして便利にヘアスタイルを演出できることと共に、駆動部の減速比率を早くして別途の陰イオン放出部と水分供給部を作動させて髪の毛の損傷を最小化して迅速にして欲しいヘアスタイルに演出できる効果がある。
【図面の簡単な説明】
【００２７】
【図１】図１は、本発明の一実施例によるヘアアイロンのヘッドと上部カバーが接続されてスロットが閉鎖された状態の構造を図示した側面図
【図２】図２は、本発明の一実施例によるヘアアイロンのヘッド部から上部カバーが離脱されてスロットが開口された状態の構造を図示した側面図
【図３】図３は、本発明の一実施例によるヘアアイロンのスロットが開口されたヘッド部と上部カバーを拡大して図示した拡大斜視図
【図４】図４は、本発明の一実施例によるヘアアイロンのヘッドを上部から見た構造を図示した斜視図
【図５】図５は、図１のヘアアイロンの内部に具備した駆動部の構造を図示した斜視図
【図６】図６は、図１のヘアアイロンのＬＣＤ表示の表示内容を図示した平面図
【図７】図７は、図１のヘアアイロンのヘッドの縦断面の構造を図示した断面図
【発明を実施するための形態】
【００２８】
以下、本発明の一実施例によるヘアアイロンを添付した図面を参照してより詳しく説明する。
【００２９】
図１は本発明の一実施例によるヘアアイロンのヘッド部と上部カバーが接続してスロットが閉鎖された状態の構造を図示した側面図で、図２は本発明の一実施例によるヘアアイロンのヘッド部から上部カバーが離脱してスロットが開口した状態の構造を図示した側面図で、図３は本発明の一実施例によるヘアアイロンのスロットが開口した状態のヘッド部と上部カバーを拡大して図示した拡大斜視図で、図４は本発明の一実施例によるヘアアイロンのヘッド部を上側から見た本構造を図示した斜視図で、図５は図１のヘアアイロンの内部に具備した駆動部の構造を図示した斜視図で、図６は図１のヘアアイロンのＬＣＤ表示窓の表示内容を図示した平面図で、図７は図１のヘアアイロンのヘッド部の縦断面の構造を図示した断面図である。
【００３０】
これらの図面に図示したように、本発明の一実施例によるヘアアイロンは、一側が切開した切開面（１００）を形成して駆動部（１２０）を具備できる一定な内部空間（１３０）が形成されて前記切開面（１１０）を通じて駆動部（１２０）と連結した円筒形状のヒーティングバー（１４０）が外部に露出して具備したヘッド部（１００）と、ヘッド部（１００）の一側面に固定結合して一定の長さを持つように延長形成したハンドル部（２００）と、切開面（１１０）と選択的に接続及び離脱可能にした前記ハンドル部（２００）の一側に回動可能にして具備したその端部が前記ヘッド部（１００）の前記切開面（１１０）と一定間隔離脱した場合に髪の毛を挿入できるスロット（３１０）を形成する上部カバー（３００）とから構成している。
【００３１】
ヘッド部（１００）は、実質的に使用者の髪の毛を挿入して髪の毛に熱を過熱することで丸く変形できるように欲しいヘアスタイルで演出できるようにする役割をする。
【００３２】
これのために、ヘッド部（１００）の一側の外面一部を切開形成した切開面（１１０）を具備して、切開面（１１０）を通じて駆動部（１２０）と連結した円筒形状のヒーティングバー（１４０）の一部分が外部に露出するように形成されている。
【００３３】
図４に図示した場合と同じように、使用者の髪の毛を挿入したスロット（３１０）の入り口を形成した切開面（１１０）は、上向きに斜めに形成（Ｂ面）することで使用者がスロット（３１０）側に髪の毛を挿入してヘアスタイルを演出時に使用者の便宜性を求めることが望ましい。
【００３４】
そして、ヘッド部（１００）と接続する上部カバー（３００）の一側も切開面（１１０  ）と対応するように斜めに形成（Ｄ面）するようにしてヘッド部（１００）と上部カバー（３００）になるスロット（３００）の入り口は上向きに斜めに開口形成している。
【００３５】
斜めに形成した前記切開面（１００）の一側面（Ｂ面）と対向する他側面（Ａ面）も斜めに形成してスロット（３１０）側面の全体的な形状は、上側に行くほど幅が漸進的に拡張して形成することで使用者が髪の毛を便利にスロット（３１０）に挿入及び離脱させるようにすることが効果的である。
【００３６】
そして、上向きに斜めに形成した切開面（１１０）の端部（Ｂ面）には、スロット（３１０）に髪の毛をもっとも容易に挿入できるように外側に突起形成する突部（１１１）を具備している。
【００３７】
そして、突部（１１１）の両側には、スロット（３１０）に髪の毛を挿入する時に髪の毛がその表面からスライディングしてスロット（３１０）側に案内するように斜めに形成した案内面（１１２、Ｃ面）を具備している。
【００３８】
また、前記切開面（１１０）と接続する前記上部カバー（３００）の外面一側には、前記スロット（３１０）に挿入された髪の毛が前記スロット（３１０）から離脱できないように離脱防止突起（３４０）が突出形成してヒーティングバー（１４０）と接続して変形になるように髪の毛が任意にヒーティングバー（１４０）から離脱できないようにすることが望ましい。
【００３９】
ヘッド部（１００）の内部には、一定な内部空間（１３０）を具備することで各種部品らが実装できるようにして、これらの部品中にはヒーティングバー（１４０）を回転駆動させる駆動部（１２０）が含まれる。
【００４０】
駆動部（１２０）は、駆動モーター（１２１）の端部の具備して駆動モーター（１２１）の駆動によって回転駆動するウォーム（１２２）と、このウォーム（１２２）と噛み合って回転駆動して一側にヒーティングバー（１４０）が固定結合するウォームギア（１２３）とで構成している。
【００４１】
このような構成によって電源を供給するとウォーム（１２２）が回転して、このようなウォーム（１２２）の回転駆動によってウォーム（１２２）と噛み合っているウォームギア（１２３）が回転駆動することでウォームギア（１２３）の一側に固定結合している円筒形状のヒーティングバー（１４０）が回転駆動することで使用者の髪の毛を丸く変形させる。
【００４２】
そして、後述する操作ボタン（２２０）によるウォーム（１２２）を回転駆動させる駆動モーターの速度を調節できるようにヒーティングバー（１４０）と髪の毛が接続する時間を調節することで髪の毛の損傷を最小化できる。
【００４３】
また、駆動モーターが回転する方向を調節することでウォーム（１２２）の回転方向を変更させて使用者の髪の毛が丸く変形する方向を調節することで迅速に欲しいヘアスタイルを演出できる。
【００４４】
同時に、スロット（３１０）に挿入して手入れする髪の毛が絡み合ってヒーティングバー（１４０）の一側に挟まれる場合にはこれを感知して自動的に電源が遮断できように駆動部（１２０）の動作が停止することが効果的である。
【００４５】
ヒーティングバー（１４０）の外面にはセラッミクコーティング処理して髪の毛側に熱伝導を低くさせることで髪の毛の損傷を最小化させて、使用者の髪の毛を丸い形状に変更させるようにその外形は円筒形状に形成されている。
【００４６】
ヘッド部（１００）の一側には、ヘッド部（１００）の上面に具備した上部カバー（３００）がヘッド部（１００）から完全に離脱することを防止できるようにハンドル部（２００）と上部カバー（３００）の端部はロックピン（１５０）で結合している。
【００４７】
このロックピン（１５０）が結合した上部カバー（３００）端部の底部面が一定角度に斜めに形成することで、その下側のハンドル（２００）の上面と相互間接することでヘッド部（１００）に対して上部カバー（３００）が一定角度以上の離脱することを防止できる。
【００４８】
そして、ヘッド部（１００）に具備したヒーティングバー（１４０）の下側には前記ヘアアイロンを使用時に前記髪の毛に陰イオンが放出できる別途の陰イオン放出部（１６０）を具備している。
【００４９】
この陰イオン放出部（１６０）は、ヒーティングバー（１４０）を通じて前記髪の毛と前記陰イオンが接続するようにしている。
【００５０】
陰イオン放出部（１６０）から発生する陰イオンは体の酵素システムを活性化、頭皮の新陳代謝及び疲労を除去して、細胞免疫と体液性の免疫及び体の抗菌機能を向上を向上させると共に頭皮の表皮を保護できる機能がある。
【００５１】
外部に漏出するヘッド部（１００）の表面には、薄いシリコンを塗布することで使用者がヒーティングバー（１４０）から発生する熱によって身体の一部が損傷できないようにすることが望ましい。
【００５２】
ハンドル部（２００）は、使用者がヘアアイロンを使用時に手で取って欲しいヘアスタイルに演出できるようにする役割をする部材としてその外形は一般的なバー形状に形成しているが、その外面一側に使用者が手で取る場合に楽に感じるように使用者が取った手のひらの形状によって屈曲面を形成することがもっと効果的である。
【００５３】
このハンドル部（２００）の一側には、前記ヘアアイロンに供給する電源を制御する電源制御ボタン（２１０）と、前記ヘアアイロンの駆動を制御する複数の操作ボタン（２２０）を具備している。
【００５４】
そして、ヘッド部（１００）と同じように露出するハンドル部（２００）の外面には薄いシリコンを塗布することで、使用者がヒーティングバー（１４０）から発生する熱によって身体の一部が損傷しないようにすることが望ましい。
【００５５】
ハンドル部（２００）の一側に具備した電源制御ボタン（２１０）及び前記操作ボタン（２２０）によって制御される前記ヘアアイロンの動作状態を表示できるようにハンドル部（２００）の一側にはＬＣＤ表示窓（２３０）を具備している。
【００５６】
図６に図示したように、ＬＣＤ表示窓（２３０）には、駆動部（１２０）の駆動速度（２３１）と、駆動方向（２３２）及びヒーティングバー（１４０）の温度（２３３）に対する情報を表示するようにして使用者がヘアアイロンの作動状態を迅速に把握してより効率的にヘアスタイルを演出できるようにしている。
【００５７】
そして、駆動部（１２０）の駆動速度（２３１）及びヒーティングバー（１４０）の温度（２３３）が設置値に到達する場合には、別途の信号音が発生するようにして使用者はＬＣＤ表示窓（２３０）を見なくてもヘアアイロンを使用中にヘアアイロンの状態を感知できるようにすることが望ましい。
【００５８】
上部カバー（３００）は、その一端部がハンドル部（２００）の一側に回転可能できるように結合してヘッド部（１００）及びハンドル部（２００）の上面を外部と遮蔽させる役割をすることと同時に、その他端部がヘッド部が（１００）から一定間隔分離して使用者の髪の毛を挿入してヘアスタイルを変更させるスロット（３１０）を形成する。
【００５９】
上述のように、このスロット（３１０）は使用者が楽に髪の毛をスロット（３１０）側に挿入させるように上向きに斜めに形成（Ｂ）になることが望ましいし、このために上部カバー（３００）の端部は平に形成したヘッド部（１００）の一側形状と対応に斜めに形成されている。
【００６０】
そして、上部カバー（３００）もヒーティングバー（１４０）から発生する熱が伝達して使用者の皮膚を損傷させないようにその外面に薄くシリコンを塗布している。
【００６１】
上部カバー（３００）の上部一側には、前記ヘアアイロンを使用時に前記髪の毛に水分を供給できる別途の水分供給部（３３０）を具備している。
【００６２】
この水分供給部（３３０）では、超音波加湿によって前記髪の毛に水分を供給するようにすることでもできるし、使用者の髪の毛に供給する水分の温度を高めてスチーム形態で前記水分を供給するようにもできる。
【００６３】
超音波加湿の原理は、高周波の共振で水を噴霧して自然に霧形態に流れる水のように発生することで、超音波加湿に使用する基本的な高周波は１．７ＭＨZを使用することで騒音発生が少なくエネルギー効率が高い効果がある。
【００６４】
この超音波加湿の効果をもっと詳しく説明すると、どの化学物質を追加したりあるいは加熱しないで、高周波振動によって発生して霧のように噴霧する液体によって加熱噴霧エネルギーに比べて９０％以上のエネルギー節約効果がある。
【００６５】
また、ホルムアルデヒド、一酸化炭素 、バクテリア及びその他有害物質を制御する初期微粒化作動過程によって煙、埃、静電気反応などの空中に浮いている否定的なイオンを吸収することで付随的に空気精化役割をすることで疾病の発生を減らする効果もある。
【００６６】
この構成を有する本発明の一実施例によってヘアアイロンを利用して使用者が欲しい形にヘアスタイルを演出する過程は次の通りである。
【００６７】
まず、電源制御ボタン（２１０）及び操作ボタン（２２０）を押して駆動モーター（１２１）が駆動すると共に、ヒーティングバー（１４０）側にも電源が供給するようにヒーティングバー（１４０）が欲しい温度に加熱できるようにする。
【００６８】
この時、適当量の髪の毛を上向きに開口形成したスロット（３１０）に入れて上部カバー（３００）をヘッド部（１００）側に押すと離脱防止突起（３４０）が髪の毛をおして自動に髪の毛がヒーティングバー（１４０）に絡みながらヒーティングバー（１４０）の外面に巻かれながら入る。
【００６９】
髪の毛の量が多い場合にはアラーム音が発生することで使用者は適当量の髪の毛をスロット（３１０）に挿入できるようにして、髪の毛を挿入時に髪の毛が案内面（１１２）に従ってスライティングして挿入が可能できるように安定的に髪の毛の挿入を可能にする。
【００７０】
その後、ヒーティングバー（１４０）側から髪の毛が巻かれながら入って数秒後になると、ウェーブヘアになるとピピピピと発しながら完成して、上部カバー（３００）を放して髪の毛を引くとウェーブヘアが出てくる。
【００７１】
ここで、温度の設定は３段階になっているし１段階は１９０℃、２段階２１０℃、３段階は２３０℃に設定できるし、髪の毛の加熱時間のタイム設定も３段階になっているし１段階は８秒、２段階は１０秒、３段階は１２秒に設定できる。
【００７２】
駆動モーター（１２０）はＬ／Ｒスイッチで正方向と逆方向に作動できるしウェーブ形と方向を勝手にできるし髪の毛が絡み合う場合には、駆動モーター（１２０）方向を反対に回すと髪の毛は解ける。
【００７３】
そして、髪の毛の濡れた程度と長さ及び毛髪の太さによって髪の毛の損傷を最小化して欲しい形にヘアスタイルの演出が可能と同時に駆動モーター（１２１）の方向を転換して髪の毛が反対方向に丸く変更できるようにする。
【００７４】
上述した過程によって使用者は、便利にヘアスタイルを演出できるようにすると共に、ヘアスタイルを演出する過程で必要によって陰イオン放出部（１６０）及び水分供給部（３３０）が同時に作動できるようにすることで高熱によって髪の毛の損傷を最小化して迅速に欲しいヘアスタイルに演出できる。
【００７５】
以上は本発明によって具現できるように望ましい実施例の一部に関して説明したばかりで、周知のように本発明の範囲は上の実施例に限定して解釈してはならない、上で説明した本発明の技術的な思想とその根本を一緒にする技術的な思想は全部本発明の範囲に含まれる。
【符号の説明】
【００７６】
１００：ヘッド
１１０：切開面
１２０：駆動部
１２１：駆動モーター
１２２：ウォーム（ｗｏｒｍ）
１２３：ウォームギア
１３０：内部空間
１４０：ヒーティングバー（ｈｅａｔｉｎｇ  ｂａｒ）
１５０：ロックピン（Ｌｏｃｋ  ｐｉｎ）
１６０：陰イオン放出部
２００：ハンドル部
２１０：電源制御ボタン
２２０：操作ボタン
２３０：ＬＣＤ表示窓
２３１：駆動速度表示
２３２：駆動方向表示
２３３：温度表示
３００：上部カバー
３１０：スロット（ｓｌｏｔ）
３３０：水分供給部
３４０：離脱防止突起
【図１】
2015093196.tif 000003
【図２】
2015093196.tif 000004
【図３】
2015093196.tif 000005
【図４】
2015093196.tif 000006
【図５】
2015093196.tif 000007
【図６】
2015093196.tif 000008
【図７】
2015093196.tif 000009